Podtech/llm-jp-corpus-v4-ja_patent huggingface dataset:
(57)【要約】      （修正有）【課題】神秘性のある仏教的空間と荘厳な雰囲気を有する仏壇を提供する。【解決手段】木製球体１下面に没入固定した永久磁石ｂ１〜ｂ３と、棚板３上面に没入固定した永久磁石ｙ１〜ｙ３の磁力反発で浮上静止させ、更に、木製球体１上面に没入固定した永久磁石ａ１〜ａ３と、棚板２下面に没入固定した永久磁石ｚ１〜ｚ３の磁力反発に依る下方圧力で非接触固定させる。【選択図】図１
0003156017.tif 000002
【実用新案登録請求の範囲】
【請求項１】
仏壇内部棚板の上下空間において、木製球体（１）下面に没入固定された永久磁石（b1）、永久磁石（b2）、永久磁石（b3）、永久磁石（b4）と、棚板（３）上面に没入固定された永久磁石（y1）、永久磁石（y2）、永久磁石（y3）、永久磁石（y4）による磁力反発に依って浮上静止する木製球体（１）を有する仏壇。
【請求項２】
請求項１において木製球体（１）上面に没入固定された永久磁石（a1）、永久磁石（a2）、永久磁石（a3）、永久磁石（a4）と、棚板（２）下面に没入固定された永久磁石（z1）、永久磁石（z2）、永久磁石（z3）、永久磁石（z4）による磁力反発の下方圧力に依り、非接触固定される木製球体（１）を有する仏壇。
【考案の詳細な説明】
【技術分野】
【０００１】
本考案は、仏壇内部棚板の上下空間を対象とし、該仏壇内部棚板の上下空間に工夫を施す事に依り、新たな神秘性のある仏教的空間を創り出し、荘厳な雰囲気の漂う仏壇を提供する事に関する。
【背景技術】
【０００２】
従来の仏壇内部棚板における上下空間は、彫刻、蒔絵、切り抜き模様、金箔押し、象嵌等の装飾が施されている。前記した装飾物は、該仏壇内部棚板の上下空間に設けられた支持手段に接し、接着剤、釘、ビス等に依り固定される事で構成されている。
【先行技術文献】
【特許文献】
【０００３】
【特許文献１】特開２００６−３２３２９５号公報
【特許文献２】特開２００８−０３８９７２号公報
【特許文献３】特開平０８−１７３４７９号公報
【特許文献４】実開平０７−３０１５３７８号公報
【特許文献５】実開平０６−００５５４８２号公報
【特許文献６】登録実用新案第３０７４２９４号公報
【特許文献７】登録実用新案第３０１５３７８号公報
【考案の概要】
【考案が解決しようとする課題】
【０００４】
本考案は、仏壇内部棚板の上下空間に対し、従来とは異なる支持固定手段と装飾形状を施す事に依り、従来の彫刻、蒔絵、切り抜き模様、金箔押し、象嵌等とは異なる技法で改善する。該仏壇内部棚板の上下空間に対し、木製球体を浮上静止させ、非接触の固定手段を用いて、新たな神秘性のある仏教的空間を創り出す事に依って、荘厳な雰囲気の漂う仏壇を提供する事を目的としている。
【課題を解決するための手段】
【０００５】
本考案は、前記した課題を解決するための手段として、実施例の図１、図２、図３に示す様に、木製球体（１）下面に没入固定された永久磁石（b1）、永久磁石（b2）、永久磁石（b3）、永久磁石（b4）と、棚板（３）上面に没入固定された永久磁石（y1）、永久磁石（y2）、永久磁石（y3）、永久磁石（y4）による磁力反発に依って浮上静止させる。
【０００６】
上記の浮上静止する木製球体（１）の反転防止と、非接触の固定手段は、実施例の図１、図２、図３に示す様に、木製球体（１）上面に没入固定された永久磁石（a1）、永久磁石（a2）、永久磁石（a3）、永久磁石（a4）と、棚板（２）下面に没入固定された永久磁石（z1）、永久磁石（z2）、永久磁石（z3）、永久磁石（z4）による磁力反発の下方圧力に依って非接触固定させる。
【考案の効果】
【０００７】
以上の説明に依り本考案の装飾技法は、明らかに従来の装飾技法とは異なっている。依って、この木製球体（１）を浮上静止させて非接触固定すると言う事は、新たな神秘性のある仏教的空間を創り出すと共に、より一層荘厳な雰囲気が漂う仏壇を創造できる事となる。これは該仏壇を使用する人達へ、より一層の満足感を提供できる。
【図面の簡単な説明】
【０００８】
【図１】実施例正面図である。
【図２】実施例側面図である。
【図３】実施例平面図である。
【考案を実施するための形態】
【０００９】
以下は、本考案の一実施形態である。図１、図２、図３に基づき説明する。図１〜図３で示す木製球体（１）上面には、没入固定された永久磁石（a1）、永久磁石（a2）、永久磁石（a3）、永久磁石（a4）が、木製球体（１）の垂直中心軸から各30度で木製球体（１）中心点に向かって傾斜し、各90度の放射状に配置する。この実施例においては、木製球体（１）の各永久磁石の上面極性は全てＮ極とする。
【００１０】
木製球体（１）下面には、没入固定された永久磁石（b1）、永久磁石（b2）、永久磁石（b3）、永久磁石（b4）が、木製球体（１）の垂直中心軸から各30度で木製球体（１）中心点に向かって傾斜し、各90度の放射状に配置する。この実施例においては、木製球体（１）の各永久磁石の下面極性は全てＮ極とする。
【００１１】
木製球体（１）上面に没入固定された永久磁石（a1）と、木製球体（１）下面の永久磁石（b3）は、木製球体（１）中心点を結ぶ直線上にある。永久磁石（a2）と、永久磁石（b4）、永久磁石（a3）と、永久磁石（b1）、永久磁石（a4）と、永久磁石（b2）も同様とする。
【００１２】
棚板（２）下面に没入固定された永久磁石（z1）、永久磁石（z2）、永久磁石（z3）、永久磁石（z4）の各永久磁石の下面極性は、この実施例においては全てＮ極とする。
【００１３】
棚板（２）下面に没入固定された永久磁石（z1）は、木製球体（１）中心点と永久磁石（a1）を結ぶ直線上に配置する。永久磁石（z2）と永久磁石（a2）、永久磁石（z3）と永久磁石（a3）、永久磁石（z4）と永久磁石（a4）も同様とする。
【００１４】
棚板（３）上面に没入固定された永久磁石（y1）、永久磁石（y2）、永久磁石（y3）、永久磁石（y4）の各永久磁石の上面極性は、この実施例においては全てＮ極とする。
【００１５】
棚板（３）上面に没入固定された永久磁石（y1）は、木製球体（１）中心点と永久磁石（b1）を結ぶ直線上に配置する。永久磁石（y2）と永久磁石（b2）、永久磁石（y3）と永久磁石（b3）、永久磁石（y4）と永久磁石（b4）も同様とする。
【産業上の利用可能性】
【００１６】
本考案は、仏壇内部棚板の上下空間の装飾技法として考案されている。依って、仏壇を製造する産業において利用される。
【符号の説明】
【００１７】
１  木製球体
２  棚板（上）
３  棚板（下）
４  左側板
５  右側板
a1  永久磁石（上面Ｎ極）
a2  永久磁石（上面Ｎ極）
a3  永久磁石（上面Ｎ極）
a4  永久磁石（上面Ｎ極）
b1  永久磁石（下面Ｎ極）
b2  永久磁石（下面Ｎ極）
b3  永久磁石（下面Ｎ極）
b4  永久磁石（下面Ｎ極）
y1  永久磁石（上面Ｎ極）
y2  永久磁石（上面Ｎ極）
y3  永久磁石（上面Ｎ極）
y4  永久磁石（上面Ｎ極）
z1  永久磁石（下面Ｎ極）
z2  永久磁石（下面Ｎ極）
z3  永久磁石（下面Ｎ極）
z4  永久磁石（下面Ｎ極）
【図１】
0003156017.tif 000003
【図２】
0003156017.tif 000004
【図３】
0003156017.tif 000005
(57)【要約】      （修正有）【課題】雄ネジ軸が外れることを防止する吊具を提供する。【解決手段】紐を挿通する通孔を穿設し、フック片を設けた固定具本体の中空部に、１つの球体を入れ、同じく紐を挿通する通孔を穿設した雄ネジ軸を設け、雄ネジ軸にて球体を締め付け球体を固定すると共に、雄ネジ軸の抜止部を形設してなることを特徴とする。【選択図】図１
0003156246.tif 000002
【実用新案登録請求の範囲】
【請求項１】
紐を挿通する通孔を穿設した中空部を設けた固定具本体の中空部に、１つの球体を入れ、同じく紐を挿通する通孔を穿設した雄ネジ軸を設け、雄ネジ軸にて球体を締め付け球体を固定すると共に、雄ネジ軸の抜止部を形設してなることを特徴とする吊具。
【請求項２】
フック片を設けてなることを特徴とする請求項１記載の吊具。
【考案の詳細な説明】
【技術分野】
【０００１】  本考案は、フック片に物品を引っ掛け、物品を支持固定する吊具に関するものである。
【背景技術】
【０００２】  従来の技術として、同出願人が特許出願した紐を挿通する中空部を設けた固定具本体の中空部に、複数個の球体を入れてなると共に、同じく紐を挿通する雄ネジ軸を設け、雄ネジ軸にて球体を締め付け、紐を固定してなることを特徴とする紐用固定具がある。（特許文献１参照）
【先行技術文献】
【特許文献１】  特願２００１−１４３９７９号公報
【考案の概要】
【考案が解決しようとする課題】
【０００３】  上記従来の技術は、市場に出回り一定の評価を受けているが、雄ネジ軸が抜けて、中の球体が排出され、紛失することがあった。【０００４】  よって、本考案は、上記の問題点を解決するもので、１つの球体で紐を締め付けて固定すると共に、抜止部にて雄ネジ軸が外れることを防止する吊具を提供することを目的とする。
【課題を解決するための手段】
【０００５】本考案は、紐を挿通する通孔を穿設した中空部を設けた固定具本体の中空部に、１つの球体を入れ、同じく紐を挿通する通孔を穿設した雄ネジ軸を設け、雄ネジ軸にて球体を締め付け球体を固定すると共に、雄ネジ軸の抜止部を形設してなること。
フック片を設けてなることを特徴とする。
【考案の効果】
【０００６】１）、１つの球体で紐を締め付けて固定するというシンプルな形態でありながら確実に固定することができる。
２）、抜止部を形設することにより、雄ネジ軸が抜けることなく安全に使用できる。
３）、フック片を設けることにより物品を吊り下げて、展示物等色々な用途に使用できる。
【図面の簡単な説明】
【０００７】
【図１】  本考案の一実施例を示す吊具の一部縦断正面図。
【図２】  本考案の一実施例を示す吊具の平面図。
【図３】  本考案の一実施例を示す吊具の使用状態図。
【考案の実施するための形態】
【０００８】１は、吊具である。
２は、内面斜状に形成した底部２ａ中心に通孔して２ａ１を穿設し、上部を開口した紐を挿通する中空部２ｂを設けてなる固定具本体で、中空部２ｂ内周に雌ネジ部２ｃを形設してなる固定具本体である。
３は、中空部２ｂ内に設けてなる１つの球体である。
４は、軸４ａの中心に紐を挿通する通孔４ｂを穿設すると共に、上部に掴み部４ｃを、下部に上記雌ネジ部２ｃに螺合する雄ネジ部４ｄを形設してなる雄ネジ軸である。
５は、固定具本体２の側面に付設してなるＪ型のフックである。
なお、固定具本体２の雌ネジ部２ｃに雄ネジ軸４の雄ネジ部４ｄに適宜螺合した後、両側よりカシメて抜止部２Ｄを形設してある。
【０００９】  上記の吊具１の使用例を説明する。
例えば、紐Ｈを上方より通孔４ｂ及び通孔２ａ１に挿通し、下方より突出させ、所要位置に吊具１を持って行く。
つぎに、フック片５を持ち、別の手（指）で雄ネジ軸４の掴み部４ｃを掴み回転させることにより、雄ネジ部４ｄが下降し、球体３が底部２ａの内面斜状に沿って下方に移動させ球体３にて紐Ｈを押圧し、固定するものである。
その後、フック片５に所要の物品Ｂを吊り下げて使用するものである。
【００１０】  なお、上記実施例の各部材の材質は特に限定するものではないが、合成樹脂を使用するのが望ましい。
また、各部位の大きさは必要に応じて決めればよい。
【符号の説明】
【００１１】  １−−−吊具
２−−−固定具本体
２ａ−−底部
２ｂ−−中空部
２ｃ−−雌ネジ部
２ｄ−−抜止部
３−−−球体
４−−−雌ネジ部
４ａ−−軸
４ｂ−−通孔
４ｃ−−掴み部
４ｄ−−雄ネジ部
５−−−フック片
【図１】
0003156246.tif 000003
【図２】
0003156246.tif 000004
【図３】
0003156246.tif 000005
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
紐を挿通する通孔を穿設した中空部を設けると共に、フック片を設けた固定具本体の中空部に１つの球体を入れ、中空部内周に雌ネジ部を設け、同じく紐を挿通する通孔を穿設した雄ネジ軸を設け、雄ネジ軸にて球体を締め付け球体を固定すると共に、雄ネジ軸の抜止部を形設してなることを特徴とする吊具。
【請求項２】
フック片を固定具本体の側面に設けてなることを特徴とする請求項１記載の吊具。
(57)【要約】      （修正有）【課題】携帯電話の表示画面の汚れを防止し、視認性を保持するカバーを提供する。【解決手段】カバーは透明プラスチックシート又は、吸湿吸脂性を持つ紙の一辺に、貼り剥がしが容易な接着部を持ったもので、容易に交換可能な使い捨てタイプであることを特徴とする。【選択図】図２
0003156242.tif 000002
【実用新案登録請求の範囲】
【請求項１】
携帯電話の表示画面において
表示画面の汚れを防止し、視認性を保持するためのカバー。
【請求項２】
カバーは透明プラスチックシート又は、吸湿吸脂性を持つ紙の一辺に、貼り剥がしが容易な接着部を持ったもので、容易に交換可能な使い捨てタイプ。
【考案の詳細な説明】
【技術分野】
【０００１】  本考案は携帯電話の表示画面の汚れを防止し、かつ視認性を保持するカバーに関する。
【背景技術】
【０００２】携帯電話の表示画面は会話する際に耳に押し付けられるために必ず液晶画面が顔の油や化粧粉等で汚れてしまう。この汚れは視認性の低下に加え不快感を起こさせる。そのためハンカチや携帯ストラップに付属させたクリーナー等で拭いて汚れを除去している現状がある。また、同類の商品に窃視防止フィルターなどがあるが汚れそのものを防止する機能はない上、シート全面を密着させるので交換に容易ではない。
【考案の概要】
【考案が解決しようとする課題】
【０００３】現在利用されているハンカチやクリーナー等による拭き取りは汚れを移動させるだけのもので、汚れたハンカチやクリーナーを使用すればかえって画面を汚すことになる。
そこで、本考案は汚れそのものを画面に付着させない汚れ防止のための使い捨てカバーを提供するものである。
【課題を解決するための手段】
【０００４】本考案のカバーは透明プラスチックシート又は、水分や油脂分を吸収しやすくかつ同成分を浸潤させにくい性質の紙製品を短冊状に加工したもので、短冊状の上部に貼り剥がしが容易な接着部を設け、携帯電話の液晶表示画面部を覆うものである。
また、このカバーを複数枚重ね合わせてパッド状にしてホルダーに収め、用に供する。
【考案の効果】
【０００５】透明プラスチックシート製のカバーは貼付けたままでも視認性は高いのでそのまま使用する。一方、紙製のものはカバー自体をめくることで画面を表示する。いずれのカバーも汚れたら容易に交換が可能なディスポーザブルタイプで、画面を常に清潔でクリアーな状態を保つ。
【図面の簡単な説明】
【０００６】
【図１】カバーの平面図で、上部に接着部を示す。
【図２】斜視図で、（Ａ）は携帯電話の表示画面にカバーを装着した状態を示し、（Ｂ）は表示画面からカバーをめくった状態を示す。
【考案を実施するための形態】
【０００７】以下、本考案を実施するための最良の形態を図面を参照して詳細に説明する。
【実施例】
【０００８】図１に示すようにカバーは矩形シート状の一辺に接着部を有し、その接着部は貼り剥がしが容易なものとする。
【実施例２】
【０００９】  カバーが紙製の場合において図２（Ａ）は携帯電話の表示画面部にカバーを取付けた状態を示す。音声による会話はこの状態で行ない、画面の確認は図２（Ｂ）の示す通り、カバーをめくった状態で行なう。ただし、カバーが透明プラスチックシート製の場合においては図（Ａ）に示す状態でも画面確認が可能である。
【産業上の利用可能性】
【００１０】本考案のカバーは簡単な装着で携帯電話の表示画面を清潔かつクリアーに保つため、携帯電話ユーザーに便利なものである。
【符号の説明】
【００１１】１１カバー
１２接着部
１３携帯電話
１４表示画面
【図１】
0003156242.tif 000003
【図２】
0003156242.tif 000004
【手続補正書】
【提出日】平成21年9月17日(2009.9.17)
【手続補正１】
【補正対象書類名】実用新案登録請求の範囲
【補正対象項目名】請求項２
【補正方法】変更
【補正の内容】
【請求項２】
カバーは透明プラスチックシート又は、吸湿吸脂性を持つ紙の一辺に、貼り剥がしが容易な接着部を持ったもので、容易に交換可能な使い捨てタイプであることを特徴とする請求項１記載のカバー。
(57)【要約】      （修正有）【課題】ハンガー上部に、洗濯バサミを取りつけた輪からなるパーツを設けることにより、タートルネック部分を伸ばしたまま干すことができるようにした洗濯物干しパーツを提供する。【解決手段】２，３段の折りたたみ式の輪１，２を付け、芯の部分に既存のハンガーを引っ掛ける穴を複数個設ける。上部の輪１には数ヶ所、先が丸くピンポイントで挟める形状の洗濯バサミ４を取り付けタートルネックの上端をはさむ。芯の部分に複数個の穴があるため、ネック５の長さに合わせて、ハンガーのフックをかける位置を調節可能である。【選択図】図１
0003156249.tif 000002
【実用新案登録請求の範囲】
【請求項１】
既存のハンガーの上部にパーツを着け上部の輪に付属した洗濯バサミで固定するタートルネック用の洗濯物干しパーツ。
【考案の詳細な説明】
【技術分野】
【０００１】  本考案は、既存のハンガー上部に付け、上部の輪に付属した洗濯バサミで固定しタートル・ハイネック部分を伸ばしたまま干すことができる洗濯物干しパーツである。
【背景技術】
【０００２】  従来から洗濯物を干すにはタートル・ハイネック等の部分が重力で下がり、重なり合って、乾きが難しい。
【考案の開示】
【考案が解決しようとする課題】
【０００３】  しかし、普通にハンガーにかけて干すと、しわが残り、重なり合った部分が乾いていないことが多く、それを解消させるために洗濯バサミを用いてハンガー上部や物干し竿に留めると、洗濯バサミの跡も洗濯物に付いてしまい、非常にロスと共に不快なのが現状である。そしてそれらを解決する手段もないのが又現状でもある。
【課題を解決するための手段】
【０００４】  そこで、既存のハンガーの上部に取り付けるパーツで、上部に輪を付け、その輪に付属した洗濯バサミで固定する洗濯物干しパーツを考案した（図１）。さらに、上の輪に付いている洗濯バサミは、先がピンポイントではさめる形状なので跡が残らない。既存のハンガーのフックをかける穴も数個設けているのでネックの長さにあわせて調整可能である。このタートルネック用物干しパーツにより、ネック部分を伸ばしたまま干すことができるのである。
【考案の効果】
【０００５】  よって、本考案のタートルネック用物干しパーツにより、ネック部分の長い洗濯物を干す際に、重力で下がって重なったネック部分が乾かなかったりしわになることはなくなる。また、上の輪に数ヶ所付いている洗濯バサミもピンポイントで挟める形状のため挟んだ跡が付かない。またネックの長さに合わせて調節できる穴が数個あるためハンガーを選ばず、各家庭にあるどのようなハンガーにも対応可能である。
【考案を実施するための最良の形態】  本考案に係るタートルネック用洗濯物干しパーツは、図１に示すように既存のハンガーをかける数ヶ所の穴とそれに付随した輪が二つ付いている。この上部の輪には数ヶ所に小型の洗濯バサミを付ける。ただし、ピンポイントで挟み跡が残らない形状の洗濯バサミでであることが望ましい。下部の輪はネック部分がくっついて乾きが悪くならないためと洗濯物のしわをなくすために必要な部分である（図１）。この二つの輪は、折りたたんで使用も可能であり、収納時は両輪の折りたたみも可能であるから収納時にかさばらずコンパクトに収納できる（図２）。穴も数個設けてタートルネックの長さに合わせてハンガーの引っ掛け位置を調整できる。
この洗濯物干しパーツは大きすぎても小さすぎても使い物にならないため、洋服のサイズに合わせて大きさの異なる物があると便利である（図３・４）。
【図面の簡単な説明】
【０００６】
【図１】  本考案に係るタートルネック用洗濯物干しパーツと既存のハンガーを使ってタートルネックの洗濯物を干した状態の立体図である。
【図２】  収納時に両輪を折りたたんだ状態の立体図である。
【図３】  実際に使用する際に使いやすいサイズについて説明した図である。
【図４】  輪の部分を真上から見た図である。
【符号の説明】
【０００７】  １    上部の輪（折りたたみ式）
２    下部の輪（折りたたみ式）
３    ハンガーの引っ掛け穴
４    洗濯バサミ（先が尖らず丸くなっていてピンポイントで挟む）
５    服のネック部
▲Ａ▼    基準寸法１２−２０ｃｍ  最小寸法８ｃｍ  最大寸法３０ｃｍ
▲Ｂ▼    基準寸法１８−３０ｃｍ  最小寸法１０ｃｍ  最大寸法４０ｃｍ
【図１】
0003156249.tif 000003
【図２】
0003156249.tif 000004
【図３】
0003156249.tif 000005
【図４】
0003156249.tif 000006
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
ハンガーをかける穴と、折りたたみ可能な輪と、前記輪に付属する、服のネック部を固定可能な洗濯バサミとを備えたタートルネック用の物干しパーツ。
(57)【要約】      （修正有）【課題】多種の車椅子に適用接続可能なペタル付きの車椅子移動補助具を提供する。【解決手段】車椅子と移動補助具の間の連結を、懸架方式として、移動補助具本体の自重と介助者の体重で結合力を得る物とする。プッシャー本体１にスライド可能なアジャスター２がついている。３は懸架部である。ペタル付きの補助具を装着することで、介助者の負担を軽減することができるため、被介助者の行動半径を広げることができる。【選択図】図１
0003156248.tif 000002
【実用新案登録請求の範囲】
【請求項１】
自重を結合力とする連結装置をもった車椅子との着脱の容易なペタル付き車椅子移動補助具
【請求項２】
幅を可変として、車椅子の車幅に対応できる連結装置
【請求項３】
請求項１の補助具で自走可能な自転車の構造を持った装置
【考案の詳細な説明】
【技術分野】
【０００１】本考案は、車椅子の移動補助をするための、ペタルおよび車輪のついた補助具に関するものである。
【背景技術】
【０００２】車椅子の介助者は歩行によってその移動を介助ことが一般的である。
６０ｋｇを越える、車椅子を押しての歩行は介助者にとって負担が大きく活動範囲が狭い。
その負担の軽減のために自転車様の補助具を車椅子に連接させることで介助者の負担を軽減せしめ被介護者と活動範囲を広げることがある。
しかし、自転車様の補助具を取り付けたままでは、全体としての形が軽車両となってしまうため、建物などの施設の中に入ろうとする場合には、そのままはいることができない。【０００３】容易に、車椅子と補助具の組み込み、分解が可能としておくと目的地までの移動は補助具付き、目的地の施設内では分解して車椅子として使用できることになり、被介助者の移動の範囲が広がるばかりでなく生活に潤いを与えることができる。【０００４】ペタル付きの補助具を装着することで、介助者の負担を軽減することができるため、被介助者の行動半径を広げることができる。
【考案が解決しようとする課題】
【０００５】多種に及ぶ車椅子との着脱を容易にしたペタル付き車椅子移動補助具市販されている車椅子は、車輪寸法、座幅、ブレーキの有無など多種に及び車椅子にあわせた、移動補助具が必要となってしまいその種類も多種に及んでしまう。
本発明は、車輪寸法、座幅によらない着脱方式を開発しそのコストを低減せしむるものである。
【０００６】車椅子と移動補助具の間の連結を、懸架方式として、移動補助具本体の自重と介助者の体重で結合力を得る物とする。図１は例である。
【図面の簡単な説明】
【０００７】図１は、１はプッシャー本体にスライド可能なアジャスター２がついている。３は懸架部である。図２の６は車椅子のハブシャフトに取り付ける懸架用のナットである。車椅子本来についている締め付けナットに交換して用いる。【０００８】図３は、補助を自走可能な様に極小径の車輪をつけたところである。
【図１】
0003156248.tif 000003
【図２】
0003156248.tif 000004
【図３】
0003156248.tif 000005
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
自重を結合力とする連結装置をもった車椅子との着脱の容易なペタル付き車椅子移動補助具
【請求項２】
幅を可変として、車椅子の車幅に対応できる連結装置を特徴とする請求項１記載のペタル付き車椅子移動補助具
【請求項３】
請求項１の補助具で車椅子と離脱した場合でも自走可能な自転車の構造を持った補助具
【手続補正２】
【補正対象書類名】明細書
【補正対象項目名】０００７
【補正方法】変更
【補正の内容】
【０００７】
【図１】は  補助具先端に付く車椅子と補助具の連結部の図である。１はプッシャー本体にスライド可能な請求項２のアジャスター２がついている。３は懸架部である。
【図２】は、車椅子に取りつけるハブ軸及び特殊ナットの見取り図である。６は車椅子のハブシャフトに取り付ける懸架用のナットである。特殊ナットを車椅子本来についている締め付けナットに交換して用いる。
【手続補正３】
【補正対象書類名】明細書
【補正対象項目名】０００８
【補正方法】変更
【補正の内容】
【０００８】
【図３】は、請求項３の補助具を自走可能な様にした極小径の車輪をつけた時のジョイント部の見取り図である。
(57)【要約】【課題】狭いスペースにも飾れ、写真の入れ替えや持ち運びが容易にでき、更には宣伝媒体としても利用できる金属製開閉式フォトフレームを提供すること。【解決手段】コンパクトなフォトフレームを２個連結させることにより、安定感があり、且つ狭いスペースにも写真が飾れるようになる。また、本体に直接挿入口を設けることにより、写真の入れ替えが容易にでき、宣伝スペースを設けることができる。【選択図】図１
0003156250.tif 000002
【実用新案登録請求の範囲】
【請求項１】
前面に表示空間、上部に写真の挿入口を直接設けたフレームを開閉自在に２個連結し、開いたときは２枚の写真が飾れ、写真の差し替えが容易に行うことのできる金属製開閉式フォトフレーム。
【請求項２】
小ささを特徴とし、プリクラシール等の小さな写真を飾ることのできる請求項１に記載のフォトフレーム。
【請求項３】
フレーム背面は宣伝媒体として用いられる請求項１・２に記載したフォトフレーム。
【考案の詳細な説明】
【技術分野】
【０００１】  本考案はフォトフレームに関するもので、更に詳しくは金属製の開閉式フォトフレームに関するものである。
【背景技術】
【０００２】従来用いられているフォトフレームは、開口窓を有する表板とスタンド付の裏板からなるフォトフレームに写真を挟み固定するものであり、本体サイズの大きいのが一般的である。また、使用用途としては写真を飾るためだけのものである。
【考案の開示】
【考案が解決しようとする課題】
【０００３】しかし、写真を飾る場合その都度フォトフレームを外し、写真を嵌め込む必要があるため手間がかかるものである。更に、飾る際にはある程度のスペースが必要となり、不使用時には置き場に困るものであり、持ち運びも困難である。
本考案は、狭いスペースにも飾ることができ、持ち運びや写真の入れ替えを容易に行うことができ、更には宣伝媒体としても利用できる金属製開閉式フォトフレームを提供することである。
【課題を解決するための手段】
【０００４】フレーム本体をコンパクトにし、そのフレームを２個開閉自在に連結し、開いて使用することにより、従来あるフォトフレームの裏面スタンド部を無くしても安定して立てることができ、持ち運びも容易である。また、フレーム本体上部に直接挿入口を設けることで写真の差し替えを容易に行うことができる。更には、裏面スタンドを無くすことによりできた金属面を宣伝媒体として利用することができる。
【考案の効果】
【０００５】本考案のフォトフレームは狭いスペースにも飾れ、写真の入れ替えや持ち運びが容易に行える。また、不使用時でも場所を取らず、金属製のアクセサリー感覚で飾ることができる。更には、従来あるフォトフレームの機能を超え、宣伝媒体としても利用でき、ノベルティや販促品にも利用効果がある。
【考案を実施するための最良の形態】
【０００６】以下、本考案の実施例について図面を参照しながら説明する。
図１または図２に示すように、前面４ａ・４ｂに長方形の空間、上部６ａ・６ｂに挿入口を設けた金属の板状部材２ａ・２ｂで構成されており、３は丁番である。
写真の差し替えは４ａ・４ｂの空間より、指で押し上げるようにし、６ａ・６ｂの挿入口より容易に行うことができる。【０００７】図２で示すように、５ａ・５ｂはプラスチック製板であり、写真７ａ・７ｂの前面に挿入し写真を保護する。【０００８】図３で示すように、開いた状態では縦４２ｍｍ横６７ｍｍ厚さ４ｍｍ程度の外形となり、図６で示すように閉じた状態では縦４２ｍｍ横３５．５ｍｍ厚さ８ｍｍ程度の外形となる。また、図４で示すように、背面は金属の平面となり、宣伝媒体として利用できる。
【図面の簡単な説明】
【０００９】
【図１】本考案の金属製開閉式フォトフレームの実施例を示す斜視図である。
【図２】本考案の分解図である。
【図３】本考案を１８０°開いた状態の正面図である。
【図４】本考案を１８０°開いた状態の背面図である。
【図５】本考案の閉じた状態の縦断面図である。
【図６】本考案の閉じた状態の正面図である。
【符号の説明】
【００１０】１    本考案の金属製開閉式ミニフォトフレーム
２ａ  金属製板状部材
２ｂ  金属製板状部材
３    丁番
４ａ  空間
４ｂ  空間
５ａ  プラスチック製透明板
５ｂ  プラスチック製透明板
６ａ  挿入口
６ｂ  挿入口
７ａ  写真
７ｂ  写真
【図１】
0003156250.tif 000003
【図２】
0003156250.tif 000004
【図３】
0003156250.tif 000005
【図４】
0003156250.tif 000006
【図５】
0003156250.tif 000007
【図６】
0003156250.tif 000008
【手続補正書】
【提出日】平成21年9月28日(2009.9.28)
【手続補正１】
【補正対象書類名】実用新案登録請求の範囲
【補正対象項目名】全文
【補正方法】変更
【補正の内容】
【実用新案登録請求の範囲】
【請求項１】
前面に表示空間、上部に写真の挿入口を直接設けたフレームを開閉自在に２個連結し、開いたときは２枚の写真が飾れ、写真の差し替えが容易に行うことのできる金属製開閉式フォトフレーム。
【請求項２】
小ささを特徴とし、小さな写真を飾ることのできる請求項１に記載のフォトフレーム。
【請求項３】
フレーム背面は宣伝媒体として用いられる請求項１または２に記載したフォトフレーム。
(57)【要約】      （修正有）【課題】ＬＥＤチップが装着された筒型及びサークル型の蛍光灯型ＬＥＤ照明装置を提供する。【解決手段】筒型及びサークル型の蛍光灯型ＬＥＤ照明装置から出る光を有効及び均一に照明に使うために、平板でなく曲面・曲げ加工され、または凹凸のある反射板に当てるようにしたものである。ＬＥＤチップが装着されたエポキシ基板をその内部に使った筒型及びサークル型の蛍光灯型ＬＥＤ照明具から発した光が均一で広角度に行き渡り、またソフトな照明とすることが可能である。【選択図】図１
0003156241.tif 000002
【実用新案登録請求の範囲】
【請求項１】
ＬＥＤチップが装着されたエポキシ基板をその内部に使った筒型及びサークル型の蛍光灯型ＬＥＤ照明を、その発光する方に反射板を設けて反射光を照明として使うＬＥＤ照明装置。
【請求項２】
請求項１記載のＬＥＤ照明装置において、その反射板が平面及び曲面であるＬＥＤ照明装置。
【請求項３】
請求項１及び請求項２記載のＬＥＤ照明装置において、その反射光が透明または半透明の板を介して照明として使われるＬＥＤ照明装置。
【請求項４】
請求項１、請求項２及び請求項３記載のＬＥＤ照明装置において、その反射板および透明または半透明の板が平板また平板に突起などの変形が施されているＬＥＤ照明装置。
【考案の詳細な説明】
【技術分野】
【０００１】本考案は、ＬＥＤチップを発光源とする照明装置に関するものである。
【背景技術】
【０００２】ＬＥＤチップが装着されたエポキシ基板をその内部に使った筒型及びサークル型の蛍光灯型ＬＥＤ照明具をその直接光として使う場合、光の方向が限られていて広範囲に照射することが難しかった。
【考案の開示】
【考案が解決しようとする課題】
【０００３】従来、ＬＥＤを使った照明具は蛍光灯のように広角度に照射することが難しく、発光が均一にもならなかった。
【課題を解決するための手段】
【０００４】本考案は、ＬＥＤチップが装着されたエポキシ基板をその内部に使った筒型及びサークル型の蛍光灯型ＬＥＤ照明具から発光する方に反射板を設けて反射光を照明として使うＬＥＤ照明装置に関するものである。
【実施例】
【０００５】以下、添付図面に従って一実施例を説明する。【０００６】図１は、筒型蛍光灯型ＬＥＤ照明具と反射装置の関係を示した斜視図である。
筒型蛍光灯型ＬＥＤ照明具１は、反射部２ａを有する保護部材２で上部および筒に沿った両サイドで覆われている。
図２は上記斜視図を筒断面からの断面図である。
図３は断面からみたときの光の反射を示す図である。この例では保護部材１の上部反射面２ａが下方に湾曲しているので、照明具から発する光は上部反射面２ａで広角に反射する。
図１のカバー３は、透明あるいは半透明の板で光がこの板を通って外部に出るが、ここでも光を散乱させることが出来る。【０００７】図４及び図５は、筒型蛍光灯ＬＥＤ照明具の場合の反射部を有する保護部材の他の実施例である。
図４は上方反射部が上に湾曲しており、図５は断面からみてギザギザに加工されている。
いずれも一方向に出た光を広角に反射したり乱反射させるためである。
また、図６、図７及び図８は保護部材の上反射部の他の実施例である。【０００８】図９は、サークル型の蛍光灯型ＬＥＤ照明具を使った場合の例である。
サークル型の蛍光灯型ＬＥＤ照明具１１が上方に光を発すると反射部材１２で光を下方に反射させる。
このときの反射部材１２の反射面１２ａは筒型ＬＥＤ照明具と同じように光をいろいろに反射させるために、曲面や凹凸にすることが考えられる。
図１０に示すように、透明あるいは半透明のカバー１３を設けてその表面を平面に限らず曲面や凹凸といったことの組み合わせも考えられる。
【考案の効果】
【０００９】本考案によれば、ＬＥＤチップが装着されたエポキシ基板をその内部に使った筒型及びサークル型の蛍光灯型ＬＥＤ照明具から発した光が均一で広角度に行き渡り、またソフトな照明とすることが可能である。
【産業上の利用の可能性】
【００１０】本考案によって、ＬＥＤチップが装着されたエポキシ基板をその内部に使った筒型及びサークル型の蛍光灯型ＬＥＤ照明具を使った照明の光がソフトになり、またＬＥＤチップの数を少なくして広範囲を照射することが可能となった。
【図面の簡単な説明】
【００１１】
【図１】筒型の蛍光灯型ＬＥＤ照明具を使った照明装置の斜視図
【図２】筒型の蛍光灯型ＬＥＤ照明具を使った照明装置の断面図
【図３】筒型の蛍光灯型ＬＥＤ照明具を使った照明装置の光の反射を示す
【図４】筒型の蛍光灯型ＬＥＤ照明具を使った照明装置の反射部材の別例
【図５】筒型の蛍光灯型ＬＥＤ照明具を使った照明装置の反射部材の別例
【図６】筒型の蛍光灯型ＬＥＤ照明具を使った照明装置の反射部材の上方反射部の別例
【図７】筒型の蛍光灯型ＬＥＤ照明具を使った照明装置の反射部材の上方反射部の別例
【図８】筒型の蛍光灯型ＬＥＤ照明具を使った照明装置の反射部材の上方反射部の別例
【図９】サークル型の蛍光灯型ＬＥＤ照明具を使った照明装置の斜視図
【図１０】サークル型の蛍光灯型ＬＥＤ照明具を使った照明装置の断面図
【符号の説明】
【００２２】      １      筒型の蛍光灯型ＬＥＤ照明具
２      保護部材
２ａ    保護部材の上部反射部面
１１      サークル型の蛍光灯型ＬＥＤ照明具
１２      反射部材
１２ａ    反射部材の反射面
１３      カバー
【図１】
0003156241.tif 000003
【図２】
0003156241.tif 000004
【図３】
0003156241.tif 000005
【図４】
0003156241.tif 000006
【図５】
0003156241.tif 000007
【図６】
0003156241.tif 000008
【図７】
0003156241.tif 000009
【図８】
0003156241.tif 000010
【図９】
0003156241.tif 000011
【図１０】
0003156241.tif 000012
【手続補正書】
【提出日】平成21年9月14日(2009.9.14)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤチップが装着されたエポキシ基板をその内部に使った筒型及びサークル型の蛍光灯型ＬＥＤ照明を、その発光する方に反射板を設けて反射光を照明として使うＬＥＤ照明装置。
【請求項２】
請求項１記載のＬＥＤ照明装置において、その反射板が平面及び曲面であるＬＥＤ照明装置。
【請求項３】
請求項１または請求項２記載のＬＥＤ照明装置において、その反射光が透明または半透明の板を介して照明として使われるＬＥＤ照明装置。
【請求項４】
請求項１〜３いずれか一項に記載のＬＥＤ照明装置において、その反射板および透明または半透明の板が平板また平板に突起などの変形が施されているＬＥＤ照明装置。
(57)【要約】      （修正有）【課題】未使用のテイッシュ用紙収納部分と使用済みのテイッシュ用紙収納部部を同一箱で並列に設置する箱を提供する。【解決手段】このテイッシュ箱の提供により、テイッシュを利用する行動と使用済のテイッシュを収納する行動がいわば一体的に解決する。常時テイッシュを手放せない花粉症患者や寝たきりの病人さらに病院の看護師や付き添いの手間を省き身辺の美化に貢献すること、およびゴミの分別収集にも貢献する。【選択図】図１
0003156245.tif 000002
【実用新案登録請求の範囲】
【請求項１】
未使用テイッシュ収納部分と使用済みのテイッシュを収容する開口部を備えた箱を一体化して作成する
【請求項２】
使用済のテイッシュを収納し、排出するために収容口方短辺の縦面部分を解放可能とし、その部分に内箱を設けて使用済テイッシュを収容する
【請求項３】
使用済のテイッシュの収容口に蓋を備える
【考案の詳細な説明】
【技術分野】
【０００１】この考案は、未使用のテイッシュ用紙収納部分と使用済のテイッシュ用紙収納部分を同一箱で並列に設置する箱に関するものである
【背景技術】
【０００２】従来、使用済のテイッシュペーパーは使用の都度ごみ箱に納めるのが一般的であるが、使用済分の整理に手間がかかるか或は放置して不衛生なことがあつた。
【考案の概要】
【考案が解決しようとする課題】
【０００３】使用済のテイッシュを直ちに収容することで、整理の手間を省き、さらに身辺の美化およびゴミの分別収集に役立つ
【課題を解決するための手段】
【０００４】未使用のテイッシュ箱の同一並行部分に使用済分収容スペースを設ける
【考案の効果】
【０００５】イ）    病気または高齢のため、自らの動作が不自由な人の移動の手間を省く
ロ）    就寝中または炬燵利用時などに、一時的に整理のための移動の手間を省く
ハ）    ゴミと化した使用済テイシュを同一場所に整理しておくことで周辺の美化と衛生にも貢献しかつ資源としての活用が容易になる
ニ）    病院などで病人の看護の手間が省ける
【図面の簡単な説明】
【０００６】
【図１】テイッシュ箱全体の上面からの図
【図２】右斜め上からのテイッシュ箱全体と使用済収納口の蓋付き図
【図３】テイッシュ箱全体左斜め上からの斜視図
【図４】右斜め上からの使用済テイッシュを収容する内箱を含む全体図
【産業上の利用可能性】
【０００７】常時テイッシュを手放せない花粉症患者や寝たきりの病人さらに病院の看護師や付き添いの手間を省き身辺の美化に貢献すること、およびゴミの分別収集にも貢献する
【図１】
0003156245.tif 000003
【図２】
0003156245.tif 000004
【図３】
0003156245.tif 000005
【図４】
0003156245.tif 000006
【手続補正書】
【提出日】平成21年9月11日(2009.9.11)
【手続補正１】
【補正対象書類名】実用新案登録請求の範囲
【補正対象項目名】全文
【補正方法】変更
【補正の内容】
【実用新案登録請求の範囲】
【請求項１】
未使用テイッシュ収納部分と使用済みのテイッシュを収容する開口部を備えた箱を一体化して作成するダスト収納スペース付きテイッシュ箱
【請求項２】
使用済のテイッシュを収納し、排出するために収容口方短辺の縦面部分を解放可能とし、その部分に内箱を設けて使用済テイッシュを収容する請求項１に記載のダスト収納スペース付きテイッシュ箱
【請求項３】
使用済のテイッシュの収容口に蓋を備える請求項１に記載のダスト収納スペース付きテイッシュ箱
(57)【要約】      （修正有）【課題】介護人、家族、保護者が高齢者、幼子等の口中手入れを衛生的に行うことができる口中手入れ用衛生用品を提供する。【解決手段】木質類及びプラスチック類のバーに脱指綿を巻きつけ、表面をガーゼ類の袋をかぶせ、バーに固定する。【選択図】図１
0003156247.tif 000002
【実用新案登録請求の範囲】
【請求項１】
木質及びプラスチック類のバーに脱指綿を巻きつけ表面をガーゼ類の袋をかぶせ、バーに固定させた口中手入れ用衛生用品。
【考案の詳細な説明】
【技術分野】
【０００１】本考案は、口中用衛生用品に関するものである。
【背景技術】
【０００２】従来、高齢者、幼子等の口中の手入れは、介護人、家族及び保護者が、ティシュペーパー、ガーゼ、脱指綿等で、口中の汚れをふきとっているものである。そのため、手入れがめんどうであり、不衛生な面も、少なからずあった。
【考案の開示】
【考案が解決しようとする課題】
【０００３】上記の様に、高齢者、幼子等の口中手入れは、めんどうであり不衛生な面もあったため、それを解決するために、本考案を提案したものである。
【問題を解決するための手段】
【０００４】木質類及びプラスチック類のバーに脱指綿を巻きつけ表面をガーゼ類の袋をかぶせた、専用の口中手入れ用衛生用品を提案するものである。
【考案の効果】
【０００５】本考案の口中衛生用品を使用する事により、保護者、介護人、家族等が、かんたんに衛生的に、口中手入れを高齢者、幼子にしてあげる事が出来るものである。この考案により口中の手入れがしやすくなり、口中の汚れの除去性も向上するものである。
【考案を実施するための最良の形態】
【０００６】▲イ▼木質及びプラスチック類のバーに脱指綿を巻きつけ、表面にガーゼ類の袋をかぶせて、入口を固定させたものである。
本考案は以上の構成よりなる。
【図面の簡単な説明】
【０００７】
【図１】本考案の斜視図
【符号の説明】
【０００８】１．木質及びプラスチック類のバー
２．脱指綿
３．ガーゼ類袋
【図１】
0003156247.tif 000003
(57)【要約】      （修正有）【課題】灯油、塗料その他の液体、粘液体等を密閉してある容器缶を傾けて内容物を取り出す時、内容物の取り残しをなくすことで内容物を無駄にする事なく、洗浄作業も容易となる容器缶を提供する。【解決手段】容器缶の缶胴部２から取り出し口６に向かって高くして傾斜５をつけることで、缶１を傾けて内容物を取り出す際に、内容物をスムーズに取り出すことが出来る様に構成する。【選択図】図１
0003156216.tif 000002
【実用新案登録請求の範囲】
【請求項１】
缶胴部と取り出し口の間の平坦な面を缶胴部から取り出し口に向かって高くして傾斜をつけたことを特徴とする容器。
【考案の詳細な説明】
【技術分野】
【０００１】
本考案は、灯油、塗料その他の液体、粘液体等を密閉してある容器缶に関する。
【背景技術】
【０００２】
一般に容器缶はアルミニウム製、又はスチール製である。そして、容器缶は一端を開口した筒状、丸形筒、角形筒又は異形筒である。その缶胴部内に液体、又は粘液体等を注入しその後、缶胴部の開口端を密閉するように缶蓋を配設して密閉されてなる。
【先行技術文献】
【特許文献】
【０００３】
【特許文献１】実開平07−004357号公報
【考案の概要】
【考案が解決しようとする課題】
【０００４】
ところで従来の容器缶において上記缶蓋と缶胴部との接合部から内側に４０ｍｍ〜６０ｍｍの間隔を設けて取り出し口が形成されているので接合部と取り出し口の間に平坦な面がある。そのため、容器缶、例えばドラム缶、１８L缶等を傾けて缶蓋部に設けられた取り出し口から収容物を全て取り出したつもりでも容器缶部に収容物が必ず残存してしまうという問題がある。本考案は、かかる従来の問題点に鑑みてなされるものであって、内容物を缶内部に殆んど残すことなく取り出し口から取り出すことが可能な容器缶を提供しようとするものである。
【課題を解決するための手段】
【０００５】
本考案は缶胴部と取り出し口の間の平坦な面を缶胴部から取り出し口に向かって高くして傾斜をつけたことを特徴とする容器缶である。  従来の容器缶の取り出し口は接合部と取り出し口の間に平坦な面があるため缶容器を傾けても缶蓋に設けられた取り出し口から収容物をすべて取り出したつもりでも缶内部に収容物が必ず残存してしまう。そこで今回の考案は缶の接合部から取り出し口の間を傾斜面にすることによって、缶を傾けて取り出し口から内容物をスムーズに取り出すことが出来る。本考案により収容物を殆んど残すことなく取り出しが可能な容器缶を提供することが出来る。
【考案の効果】
【０００６】
本考案は僅かな改良により、収容物の無駄を省き、又缶容器の洗浄に大きな効果が発生する。
【図面の簡単な説明】
【０００７】
【図１】本発明のドラム缶の正面図
【図２】本発明のドラム缶の液体を出している状態を示す図
【図３】本発明の１８L缶の上面図
【図４】本発明の１８L缶の正面図
【図５】現在のドラム缶の正面図
【図６】現在のドラム缶の液体を出している状態を示す図
【考案を実施するための形態】
【０００８】
図に示すように缶胴部と取り出し口の間の平坦な面を缶胴部から取り出し口に向かって高くして傾斜つけるようにした。
【産業上の利用可能性】
【０００９】
可能性あり
【符号の説明】
【００１０】
１  ドラム缶
２  缶胴部
３  接合部
４  缶蓋部
５  傾斜部
６  取り出し口部
７  先端平面部
８  収容物を出している状況
９  缶胴部
10  接合部
11  缶蓋部
12  傾斜部×４
13  取り出し口
14  先端平面部
15  境界部×４
16  取り出し口
17  収容物を出している状況
【図１】
0003156216.tif 000003
【図２】
0003156216.tif 000004
【図３】
0003156216.tif 000005
【図４】
0003156216.tif 000006
【図５】
0003156216.tif 000007
【図６】
0003156216.tif 000008
(57)【要約】【課題】  傘を巻くときの、巻きつけの作業動作に係る負担を軽減するとともに、ボタン掛けなどの巻き留め行為を不要にする。【解決手段】  傘地巻きつけ及び巻き留めの手段として、ゼンマイばね状のベルトを用いる。本傘留めは、その素材あるいは構造をもって柔軟性と復元性の維持能力が高く、また対候性のあるものとし、ゼンマイ状ベルトのゼンマイ外縁の先端部を傘地に接続する。そして、そのゼンマイ状に巻いたベルトを引き伸ばしながら傘に巻きつけることで巻き留めを完了することができる。【選択図】図２
0003156230.tif 000002
【実用新案登録請求の範囲】
【請求項１】
傘地巻きつけ及び巻き留めに使用するゼンマイばね状に成形した傘留め。および、これを装着した傘。
【請求項２】
請求項１の傘留めにおいて、ゼンマイの巻き中心部に力を伝えることによって、ゼンマイを引き伸ばすことができる操作具を設けたもの。および、この傘留めを装着した傘。
【考案の詳細な説明】
【技術分野】
【０００１】  本考案は、洋傘の傘地巻きつけ及び巻き留めに関するものである。
【背景技術】
【０００２】  傘地巻きつけ及び巻き留めには、傘地に付帯したひもを用い、ボタン・ホック・面ファスナーなどによって巻き留めるのが実用的技術として用いられている。
【考案の開示】
【考案が解決しようとする課題】
【０００３】  傘地を巻きつけるときの作業動作に係る負担を少なくするとともに、ボタン掛けなどの巻き留め行為を不要にする。
【課題を解決するための手段】
【０００４】  傘地巻きつけ及び巻き留めの手段として、柔軟性と復元性の維持能力が高く対候性のある素材を用いゼンマイばね状のベルトを製作する。そして、このゼンマイ状ベルトのゼンマイ外縁先端を傘地に接続し、このベルトを引き伸ばすようにして傘地に巻きつける。柔軟性と復元性については、機械構造的に製作することも可能である。
【考案の効果】
【０００５】  本傘留めは、巻きつける際に巻き戻る力が傘地を包み込むように働くので、傘を巻く作業が傘地をたたむと同時にこれをしっかり把握する。したがって、ボタン掛けなどの巻き留め行為を不要にする。また、本傘留めは、ひものような不定性がなく常に傘地の定位置から扱うことができるため、傘留め作業動作を簡潔なものとすることができる。
【考案を実施するための最良の形態】
【０００６】  本傘留めは、柔軟性や復元性の維持能力に優れた素材あるいは構造であるとともに、対候性のある素材で成形製作する。また、ゼンマイばね状ベルトのゼンマイ中央部に傘留め操作のため、操作具を装着すればより取り扱いやすいものとなる。
【図面の簡単な説明】
【０００７】
【図１】本傘留めの基本形斜視図。
【図２】本傘留めに操作具を装着した例の斜視図。
【図１】
0003156230.tif 000003
【図２】
0003156230.tif 000004
【手続補正書】
【提出日】平成21年5月31日(2009.5.31)
【手続補正１】
【補正対象書類名】実用新案登録請求の範囲
【補正対象項目名】請求項１
【補正方法】変更
【補正の内容】
【請求項１】
傘に装着して、傘地巻きつけ及び巻き留めに使用するゼンマイばね状に成形した傘留め。
【手続補正２】
【補正対象書類名】実用新案登録請求の範囲
【補正対象項目名】請求項２
【補正方法】変更
【補正の内容】
【請求項２】
請求項１の傘留めにおいて、ゼンマイの巻き中心部に力を伝えることによって、ゼンマイを引き伸ばすことができる操作具を設けたもの。
【手続補正書】
【提出日】平成21年7月27日(2009.7.27)
【手続補正１】
【補正対象書類名】実用新案登録請求の範囲
【補正対象項目名】全文
【補正方法】変更
【補正の内容】
【実用新案登録請求の範囲】
【請求項１】
傘に装着して、傘地巻きつけ及び巻き留めに使用するゼンマイばね状に成形した傘留め。
【請求項２】
ゼンマイの巻き中心部に力を伝えることによって、ゼンマイを引き伸ばすことができる操作具を設けた請求項１に記載の傘留め。
【手続補正２】
【補正対象書類名】実用新案登録請求の範囲
【補正対象項目名】請求項３
【補正方法】追加
【補正の内容】
【請求項３】
請求項１及び請求項２に記載の傘留めを装着した傘。
【手続補正書】
【提出日】平成21年9月19日(2009.9.19)
【手続補正１】
【補正対象書類名】実用新案登録請求の範囲
【補正対象項目名】全文
【補正方法】変更
【補正の内容】
【実用新案登録請求の範囲】
【請求項１】
傘に装着して、傘地巻きつけ及び巻き留めに使用するゼンマイばね状に成形した傘留め。
【請求項２】
ゼンマイの巻き中心部に力を伝えることによって、ゼンマイを引き伸ばすことができる操作具を設けた請求項１に記載の傘留め。
【請求項３】
請求項１または請求項２に記載の傘留めを装着した傘。